(57)【要約】本記載は、容器の大幅な変形なしに穴開けされ得る改善された穴開けデザインを有する容器を含む。そのような容器は、自動機械、特に１杯分の飲料の調製に使用される自動機械を使用した飲料調製において使用するのに特に好適である。容器として使用するための改善された穴開け容易性を有する熱可塑性材料、飲料の調製のための容器、及びそのような容器を使用した飲料調製のための方法もまた、提供される。【選択図】図３
2017522918.tif 000002
【特許請求の範囲】
【請求項１】
容器であって、
実質的に円形の底と、
前記底の縁から延在し、かつ前記容器中の空洞を画定する円錐台形状の壁と、
前記壁と交差し、かつそれから横方向に延在する積み重ね用肩部と、を含み、
前記底が、内向きに傾斜した連続的な穴開け領域をその中に有する外部支持構造体を含み、前記外部支持構造体が、前記底の穴開け容易性（ｐｕｎｃｔｕｒｅａｂｉｌｉｔｙ）を増大させるために前記底の前記縁から約０．５ｍｍ〜約１０．０ｍｍに位置付けられ、かつ
前記連続的な穴開け領域が、鋭い針を使用して測定される３ｋｇ未満、または鈍い針を使用して測定される５ｋｇ未満の穴開け負荷を示す、容器。
【請求項２】
前記内向きに傾斜した連続的な穴開け領域が、水平面に対して、前記外部支持構造体の底部の横軸に対する、０より大きく最大約１０度の角度（θ）を有する、請求項１に記載の容器。
【請求項３】
前記内向きに傾斜した連続的な穴開け領域が、前記外部支持構造体の底部に対して、前記底の中央で、０より大きく最大約３．０ｍｍの高さを有する、請求項１に記載の容器。
【請求項４】
前記内向きに傾斜した連続的な穴開け領域が、前記外部支持構造体から、前記底の中央から放射状に延在する平坦区域まで延在し、前記平坦区域が、０〜約１６．０ｍｍの幅を有する、請求項１に記載の容器。
【請求項５】
前記内向きに傾斜した連続的な穴開け領域が、水平面に対して、前記外部支持構造体の底部の横軸に対する、約１〜約５度の角度（θ）を有する、請求項１に記載の容器。
【請求項６】
前記内向きに傾斜した連続的な穴開け領域が、前記底の中央で、約０．２５〜約１．０ｍｍの高さを有する、請求項１に記載の容器。
【請求項７】
前記内向きに傾斜した連続的な穴開け領域が、前記外部支持構造体から、前記底の中央から放射状に延在する平坦区域まで延在し、前記平坦区域が、約５．０〜約１０．０ｍｍの幅を有する、請求項１に記載の容器。
【請求項８】
前記容器が、ポリプロピレン、ポリスチレン、ナイロン、ポリエチレン、及びそれらの組み合わせからなる群より選択される熱可塑性ポリマーを含む、請求項１に記載の容器。
【請求項９】
前記熱可塑性ポリマーが、１つ以上の添加剤と混合される、請求項９に記載の容器。
【請求項１０】
前記１つ以上の添加剤が、ステアリン酸金属塩、炭酸カルシウム、タルク、粘土、及びそれらの組み合わせからなる群より選択される、請求項９に記載の容器。
【請求項１１】
前記１つ以上の添加剤が、ステアリン酸カルシウム、ステアリン酸マグネシウム、ステアリン酸亜鉛、及びそれらの組み合わせからなる群より選択されるステアリン酸金属塩を含む、請求項９に記載の容器。
【請求項１３】
前記容器が、熱可塑性ポリマーを含む熱可塑性材料と、前記熱可塑性材料の約０．５〜約５．０重量％の量の核剤と、前記熱可塑性材料の約７．０〜約１８．０重量％の量のタルクと、を含む、請求項１に記載の容器。
【請求項１４】
前記容器が、ポリオレフィンを含む熱可塑性材料と、前記熱可塑性材料の約０．５〜約２．５重量％の量の核剤と、前記熱可塑性材料の約７．０〜約１２．０重量％の量のタルクと、を含む、請求項１に記載の容器。
【請求項１５】
前記底の内部表面上に刻印される形状特徴をさらに含み、前記形状特徴が、前記底の穴開け容易性を増大させる働きをする、請求項１に記載の容器。
【請求項１６】
前記容器が再利用可能である、請求項１に記載の容器。
【請求項１７】
前記容器が、少なくとも７０重量パーセントの量のポリプロピレンを含む単層材料、または少なくとも１つの層が少なくとも７０重量パーセントの量のポリプロピレンを含む多層材料を含む、請求項１に記載の容器。
【請求項１８】
前記容器が、多層材料を含み、前記多層材料の前記少なくとも１つの層が、前記空洞の反対側にある最外層を含む、請求項１７に記載の容器。
【請求項１９】
前記空洞に隣接する最内層が、少なくとも７０重量パーセントの量のポリプロピレンを含み、前記多層材料が、前記最内層と最外層との間にバリア層を含む、請求項１８に記載の容器。
【請求項２０】
前記バリア層が、エチレンビニルアルコールを含む、請求項１９に記載の容器。
【請求項２１】
請求項１に記載の容器を含む、飲料を作るための容器であって、
前記容器の前記空洞内に配置され、かつ前記空洞内の第１及び第２の空間を画定するフィルタと、
前記空洞内に配置され、かつ前記容器内に投入される液体と相互作用して飲料を作るように配置される飲料媒体と、
前記飲料媒体及び容器内に配置されるフィルタを包含するために、前記容器の周縁に取り付けられる蓋と、をさらに含む、容器。
【発明の詳細な説明】
【技術分野】
【０００１】
関連出願の相互参照
本出願は、２０１４年６月１０日出願の米国仮出願第６２／０１０，４２０号の優先権を主張するものであり、参照によりその開示が本明細書に組み込まれる。
【背景技術】
【０００２】
背景
本出願は、概して、飲料、特にコーヒー及びお茶の調製のための容器の分野に関する。これらの容器は、一般に、カートリッジ、カップ、カプセル、またはポッドと称され、１杯分の飲料の調製において使用するのに特に好適である。
【０００３】
近年、１杯用飲料機は、飲料を淹出する手早く簡便な様式として、家庭及び職場で人気となっている。これらの機械は概して、ポリマー容器を通してコーヒー、お茶、または他の温飲料を淹出し、このポリマー容器は、一体型フィルタを有し得、コーヒー粉、茶葉、または他の可溶性製品で満たされている。これらの製品を淹出すると、機械がその次の飲料の調製のために利用可能であるように、容器は容易に廃棄され得る。これらの容器は、それにより、ユーザが自分の飲料をカスタマイズすること、また淹れたての飲料を手早く容易に楽しむことを可能にする。
【０００４】
簡便ではあるが、飲料の調製のために使用される既存の容器には多数の欠点がある。例えば、多くの市販の容器は、再利用されにくい材料を使用して調製される。これは、これらの容器に要求される構造特性に起因、少なくとも部分的に起因する。例えば、容器は、容器の大幅な変形なしに容器の底の穴開けを可能にするのに十分に丈夫でなければならない。
【０００５】
近年、改善された穴開け容易性（ｐｕｎｃｔｕｒｅａｂｉｌｉｔｙ）を有する容器及び材料が開発されており、米国特許出願第１４／０３４，３０７号及び同第１４／０３４，２９８号に記載され、参照によりその開示が本明細書に組み込まれる。これらの容器は、先行技術デザインと比較して大幅に穴開け容易性を改善することが判明しているが、これらの出願において修正されたデザインでは、ある特定の種類の装置（例えば、容器をその土台から持ち上げて置くように設計される装置）を使用した加工中にいくつかの問題が発生している。したがって、必要とされる改善された穴開け容易性も提供しつつ、既存の装置を用いた容器の加工中に発生する障害に悩まされることのないさらなるデザイン修正が必要とされている。
【発明の概要】
【０００６】
概要
本記載の実施形態は、実質的に円形の底と、そこから延在し、かつ容器中の空洞を画定する円錐台形状の壁と、壁と交差し、かつそこから横方向に延在する積み重ね用肩部とを含む容器を提供することによって、上記の必要性に対処する。底は、内向きに傾斜した連続的な穴開け領域をその中に有する外部支持構造体を含み、連続的な穴開け領域は、鋭い針を使用して測定される３ｋｇ未満、または鈍い針を使用して測定される５ｋｇ未満の穴開け負荷を示す。外部支持構造体は、望ましくは、連続的な穴開け領域における底の穴開け容易性を増大させるために、底の縁から有効距離に位置付けられる。
【０００７】
上記の容器を使用した飲料の調製のための容器、及びそのような容器を使用した飲料調製の方法も、本明細書の実施形態に提供される。
【図面の簡単な説明】
【０００８】
図面の簡単な説明
【図１】第１の実施形態に従う容器の前部下方斜視図である。
【０００９】
【図２】図１に例証される容器の側面図である。
【００１０】
【図３】図１に例証される容器の断面図である。
【００１１】
【図４】図１に例証される容器の上面図である。
【００１２】
【図５】ある実施形態に従うカップ底の内部表面に適用され得るデザインの概略図である。
【００１３】
【図６】ある実施形態に従うカップ底の内部表面に適用され得るデザインの概略図である。
【００１４】
【図７】図１に例証される容器のある実施形態の断面側面図である。
【発明を実施するための形態】
【００１５】
詳細な説明
本出願の実施形態は、飲料の調製のための容器を提供することによって、上記の必要性に対処する。本明細書で使用される場合、「容器」という用語は、飲料の調製に使用され得るカートリッジ、カップ、カプセル、ポッド、及び同様のものと同義である。
【００１６】
容器は、概して、底と、開口部を画定する円錐台形状の側壁とを有する、カップ状の容器を含む。ある実施形態において、底は、外部支持構造体を含む。外部支持構造体内に配置される連続的な穴開け領域は、容器底が飲料の調製中に連続的な穴開け領域において穴開けされることを可能にするように構成される。外部支持構造体は、望ましくは、連続的な穴開け領域における底の穴開け容易性を増大させるために、底の縁から効果的な距離に位置付けられる。
【００１７】
容器１０の例示的な実施形態は、図１〜４にさらに例証される。容器１０は、底１２と、開口部１６を画定する円錐台形状の側壁１４とを含む。側壁１４は、開口部１６を囲む放射状に外向きに突出するへり１８を含み得る。一態様において、放射状に外向きに突出するへり１８は、側壁１４と交差し、かつそれから横方向に延在する積み重ね用肩部１９をさらに含む。底１２は、連続的な穴開け領域２２を囲む外部支持構造体２０を含み、外部支持構造体２０は、底１２の縁２４から離れて効果的な距離に位置付けられている。外部支持構造体２０の内側に配置される連続的な穴開け領域は、穴開け領域の位置に関係なく、飲料の調製中に連続的な穴開け領域２２内の任意の位置で容器底の穴開けを可能にするように構成される。
【００１８】
理論に拘束されることを望むものではないが、底の縁から効果的な距離にある外部支持構造体の位置は、容器の故障モードを変化させて底の剛性を増大させ、それにより連続的な穴開け領域における底の穴開け容易性を改善する。例示的な実施形態において、底の縁からの効果的な距離は、約１〜約１０ｍｍ、約１〜約５ｍｍ、約１．５〜約２．５ｍｍ、または約２．０〜約２．５ｍｍである。例えば、ある実施形態において、外部支持構造体は、底の縁から約２．３ｍｍに位置付けられ得る。
【００１９】
連続的な穴開け領域２２は、水平面から容器底１２の中心２６に向かって内向きに傾斜し得る（即ち、円錐様形状を形成する）。実施形態において、連続的な穴開け領域２２は、容器底１２の中心２６まで延在し得る（即ち、円錐の頂点を形成する）か、または容器底１２の中心２６で平坦領域２８へと平坦化し得る。本明細書で使用される場合、「水平面」という用語は、容器の縦軸（即ち、容器底の中心２６を通って容器の開口部１６の中心まで延在する中心線）に垂直である面を指す。
【００２０】
実施形態において、容器は、連続的な穴開け領域における底の穴開け容易性を促進するために他の形状特徴をさらに含む。例えば、ある実施形態において、容器は、容器の底の内部表面内に形状特徴を含み得る。形状特徴は、例えば、応力集中部分を提供することによって、連続的な穴開け領域内の底の材料を、その強度を犠牲にすることなく、その穴開け中に弱めるのに効果的であり得る。形状特徴の２つの例示的な実施形態は、図５及び６に例証され、容器の底の内部表面内に刻印され得るデザインを例証する。他のデザインも使用され得る。
【００２１】
図４及び７に示される、ある実施形態において、容器は、以下の数学的関係によりさらに特徴付けられ得、
ｈ＝（Ｒ１−Ｒ）・ｔａｎ（９０−Φ）
式中、ｈは、底１２から積み重ね用肩部１９までの容器の高さであり、Ｒ１は、積み重ね用肩部１９での容器の内半径であり、Ｒは、底の縁２４での底１２の半径であり、Φは、アプローチ角である。
【００２２】
容器はまた、底形状特徴（図４及び７）の寸法によってさらに特徴付けられ得、ｒ１は、外部支持構造体２０までの底１２の半径であり、ｄｏは、底の縁２４から外部支持構造体２０までの効果的な距離であり、ｗｉは、平坦領域２８の幅であり、ｗｏは、底１２の連続的な穴開け領域２２の幅であり、ｔ１は、底の縁２４に相対する、外部支持構造体２０の高さであり、ｔｉは、外部支持構造体２０の最底部に相対する、底１２の中心２６の高さであり、及びθは、底１２のテーパ角度である。したがって、特定の実施形態において、底１２は、以下の数学的関係によってさらに特徴付けられる。
ｄｏ＝Ｒ−ｒ１＞０．０１
Ｒ＞ｒ１
ｗｏ＝ｒ１−１／２ｗｉ
先述の変数の例示的な範囲を、以下の表にまとめる。
【表１】
2017522918.tif 000003
【００２３】
ある例示的な実施形態において、外部支持構造体は、底の縁から約０．７５〜約１．５ｍｍ（ｄｏ）に配置され得、テーパ角度（θ）は、水平面に対して約１〜約５度であり得、平坦領域は、約５．０〜約１０．０ｍｍの幅（ｗｉ）を有し得、及び底の中心での高さ（ｔｉ）は、約０．２５〜約１．０ｍｍであり得る。例えば、ある実施形態において、外部支持構造体は、底の縁から約１．１ｍｍ（ｄｏ）に配置され得、テーパ角度（θ）は、水平面に対して約３．２度であり得、平坦領域は、約６．０ｍｍの幅（ｗｉ）を有し得、及び底の中心での高さ（ｔｉ）は、約０．７５ｍｍであり得る。
【００２４】
実施形態において、当業者に既知の自立型フィルタ要素（例証されない）が、容器内に配置され得、容器の内表面に、取り外し可能または永久的のいずれかで接合され得る。例えば、フィルタは、開口部を囲む周縁から均一に細くなる曲面壁を有する逆向きの中空円錐の形状にあり得る。その後、フィルタ要素は、円錐の頂点が容器の底において支持され、かつそれによってわずかに平らにされるように容器内に置かれ得、それにより円錐内の容積を拡大し、フィルタ要素に有益な支持を提供する。
【００２５】
実施形態において、本明細書に提供される容器は、容器のへりと密封された関係にある穴を開けることが可能なカバーをさらに含み、開口部を閉じてカートリッジを形成する。カバーは望ましくは、管状の針などの器具で穴を開けられ得る不浸透性かつ無孔の材料で形成され、そこを通って熱湯が飲料の調製のために送達される。例えば、実施形態において、カバーは、容器のへりに熱融着されるポリマーフィルムまたはホイルを含み得る。
【００２６】
実施形態において、容器は、熱可塑性材料から容器を型成形及び熱成形することによって調製され得る。望ましくは、熱可塑性材料は、実質的に不浸透性かつ無孔である。好適な熱可塑性材料の非限定的な例としては、ポリプロピレン及びポリエチレンなどのポリオレフィン、ポリスチレン、ナイロン、及び他のポリマーが挙げられる。特定の実施形態において、熱可塑性材料は、生物由来樹脂であり、容易に再利用可能であり、及び／または再生材料の少なくとも一部を含むことが特に望ましい。例えば、ある実施形態において、熱可塑性材料は、再生ポリプロピレン由来の樹脂を含み得る。
【００２７】
実施形態において、熱可塑性材料は、容器に所望の機械及び熱特性を付与するために、１つ以上の添加剤と混合され得る。例えば、実施形態において、熱可塑性材料は、容器に所望の剛度を付与するために、１つ以上の添加剤と混合され得る。ある実施形態において、添加剤は、熱可塑性材料が塑性変形する本質的な能力を妨げること、及び制御された亀裂伝搬を促進することによって応力集中部分として機能し得る非混和性ポリマーを含む。ポリプロピレンを含む熱可塑性材料との使用に好適であり得る非混和性ポリマーの非限定的な例としては、アクリル、スチレン、またはそれらの混合物、及びポリオレフィンを有するコポリマーが挙げられる。ある実施形態において、添加剤は、核剤を含む。ある実施形態において、第２の添加剤は、ステアリン酸金属塩を含み、その非限定的な例としては、ステアリン酸カルシウム、ステアリン酸マグネシウム、ステアリン酸亜鉛、及びそれらの組み合わせが挙げられる。添加剤の他の非限定的な例としては、炭酸カルシウム、タルク、粘土、及びこれらの添加剤のナノ等級が挙げられる。
【００２８】
実施形態において、熱可塑性材料は、熱可塑性ポリマーと、核剤と、炭酸カルシウム、タルク、粘土、及びそれらの組み合わせからなる群より選択される第２の添加剤との混合物を含む。例えば、核剤は、約０．５〜約５重量％、または約０．５〜約２．５重量％の量で熱可塑性材料中に存在し得、第２の添加剤は、約５〜約２５重量％、約５〜約２０重量％、約７〜約１８重量％、約７〜約１２重量％、または約９重量％の量で存在し得る。例えば、実施形態において、熱可塑性材料は、ポリプロピレンと、約０．５〜約２．５重量％の量の核剤と、約７〜約１２重量％の量の第２の添加剤（例えば、タルク）とを含み得る。したがって、熱可塑性材料は、少なくとも７０重量％、約７０〜約９５重量％、または約７０〜約９０重量％の量の熱可塑性ポリマーを含み得る。
【００２９】
実施形態において、熱可塑性材料は、単層材料、または少なくとも２つの層を有する多層材料を含む。そのような材料は、当業者に既知である。例えば、熱可塑性材料は、熱可塑性ポリマーで形成される１つ以上の層を有する多層フィルムと、材料のバリア特性を向上するように構成されるバリア層とを含み得る。多層フィルムはまた、バリア層と隣接する熱可塑性ポリマー層との間に配置される１つ以上のタイ層と、任意に、１つ以上のリグラインド層とを含み得る。当該技術において一般に使用されるバリア層の非限定的な例としては、エチレンビニルアルコール（ＥＶＯＨ）及びナイロンが挙げられ、バリア層中の添加剤の量は、使用される容器の特定の用途によって少なくとも一部分において決定される。
【００３０】
例えば、例示的な実施形態において、熱可塑性材料は、熱可塑性ポリマー／タイ層／バリア層／タイ層／熱可塑性ポリマー層の５つの層を有する多層フィルムである。例えば、熱可塑性ポリマーは、ポリプロピレンであり得、バリア層は、エチレンビニルアルコール（ＥＶＯＨ）を含み得る。別の例示的な実施形態において、熱可塑性材料は、熱可塑性ポリマー／リグラインド／タイ層／バリア層／タイ層／リグラインド／熱可塑性ポリマーの７つの層を有する多層フィルムである。したがって、容器の空洞の反対側にある最外層、容器の空洞に隣接する最内層、またはその両方は、開示される熱可塑性ポリマー層を含み得る。ある特定の実施形態において、容器を形成する多層材料は、最内層と最外層との間にバリア層を含む。
【００３１】
望ましくは、本明細書に提供される容器は、約６ｋｇ未満の穴開け負荷を有する。本明細書で使用される場合、「穴開け負荷」は、針を使用して容器の底内の連続的な穴開け領域に穴開けするのに必要とされる力を意味する。穴開け負荷は、容器の穴開け負荷を測定するために使用される針の種類に部分的に依存することに理解されたい。例えば、鈍い針を使用して測定される穴開け負荷は、概して、鋭い針を使用して測定される穴開け負荷よりも大きくなる。例えば、実施形態において、容器は、約３ｋｇ未満、約２．７５ｋｇ未満、または約２．５ｋｇ未満の、鋭い針を使用して測定される穴開け負荷を有し得る。実施形態において、容器は、約４．２〜約３ｋｇ、約２．９９〜約２．７５ｋｇ、または約２．７４〜約２．５ｋｇの、鋭い針を使用して測定される穴開け負荷を有し得る。実施形態において、容器は、約５ｋｇ未満の、鈍い針を使用して測定される穴開け負荷を有し得る。例えば、容器は、約４．０〜約５．０ｋｇの、鈍い針を使用して測定される穴開け負荷を有し得る。一実施形態において、連続的な穴開け領域は、鋭い針を使用して測定される３ｋｇ未満、または鈍い針を使用して測定される５ｋｇ未満の穴開け負荷を示す。
【００３２】
したがって、本明細書に記載される容器は、外部支持構造体を含む底構造体に起因して、改善された穴開け容易性を有利に提供する。外部支持構造体は、さまざまな材料の容器内において所望の穴開け負荷を達成するように設計され得る。ある特定の実施形態において、容器は、ポリプロピレン由来の容器であり、つまりこの容器は、少なくとも７０重量パーセントの量のポリプロピレンを含む単層材料、または少なくとも１つの層が少なくとも７０重量パーセントの量のポリプロピレンを含む多層材料を含むことを意味する。ポリプロピレン由来の容器は、有益に、商用再利用施設で容易に再利用可能であり得る。したがって、本開示の容器は、容易に再利用され得、かつ再利用不可能な容器と同様の穴開け容易性を提供し得る。
【００３３】
実施形態において、容器は、乾燥飲料成分が配置されるインサートを受容するように構成され得る。例えば、容器は、飲料調製のための成分を配置されるフィルタカップを含むインサートを受容するように構成され得る。例えば、容器は、淹出物質を含むフィルタカップをさらに含み得、その非限定的な例としては、コーヒー粉、粉状の茶葉、チョコレート、風味付き粉末、及び同様のものが挙げられる。淹出物質は、結果として生じる飲料の質を高めるために、粉乳、砂糖、代替糖、または他の着香料も含み得る。
【００３４】
本明細書において具体化される容器は、コーヒー淹出器などの自動機械での使用に特に好適である。容器を機械内に置くと、穴開け部材がカバーに穴開けをして、その穴を介して加圧された熱湯を入れ、そこで熱湯はフィルタ内に配置された飲料成分と接触することになる。第２の穴開け部材は、連続的な穴開け領域内の任意の位置で容器の底に穴開けをして、調製された飲料が容器の外へ流れ出て、消費者による消費のためにカップまたは容器内へ分注されることを可能にする。
【００３５】
本明細書に提供される容器はまた、他の種類の食品との使用のために構成され得、その非限定的な例としては、それ自体で摂食されるか、食事を調理するために使用される、だし汁、スープ、及びソースを調製するための乾燥成分が挙げられる。
【００３６】
先述は、本出願及び結果として生じる特許のある特定の実施形態にのみ関することに理解されたい。多数の変更及び修正が、以下の特許請求の範囲及びその均等物により定義されるように、本発明の全般的な趣旨及び範囲から逸脱することなく当業者によりなされ得る。
【図１】
2017522918.tif 000004
【図２】
2017522918.tif 000005
【図３】
2017522918.tif 000006
【図４】
2017522918.tif 000007
【図５】
2017522918.tif 000008
【図６】
2017522918.tif 000009
【図７】
2017522918.tif 000010
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
容器であって、
実質的に円形の底と、
前記底の縁から延在し、かつ前記容器中の空洞を画定する円錐台形状の壁と、
前記壁と交差し、かつそれから横方向に延在する、前記底と反対側の積み重ね用肩部と、を含み、
前記底が、内向きに傾斜した連続的な穴開け領域をその中に有する外部支持構造体を含み、前記外部支持構造体が、前記底の穴開け容易性（ｐｕｎｃｔｕｒｅａｂｉｌｉｔｙ）を増大させるために、前記底の前記縁から約０．５ｍｍ〜約１０．０ｍｍに位置付けられ、前記底の前記縁に対して約０．５ｍｍ〜約５．０ｍｍの高さを有し、かつ
前記連続的な穴開け領域が、鋭い針を使用して測定される３ｋｇ未満、または鈍い針を使用して測定される５ｋｇ未満の穴開け負荷を示す、容器。
【請求項２】
前記内向きに傾斜した連続的な穴開け領域が、水平面に対して、前記外部支持構造体の底部の横軸に対する、０より大きく最大約１０度の角度（θ）を有する、請求項１に記載の容器。
【請求項３】
前記内向きに傾斜した連続的な穴開け領域が、前記外部支持構造体の底部に対して、前記底の中央で、０より大きく最大約３．０ｍｍの高さを有する、請求項１に記載の容器。
【請求項４】
前記内向きに傾斜した連続的な穴開け領域が、前記外部支持構造体から、前記底の中央から放射状に延在する平坦区域まで延在し、前記平坦区域が、０〜約１６．０ｍｍの幅を有する、請求項１に記載の容器。
【請求項５】
前記内向きに傾斜した連続的な穴開け領域が、水平面に対して、前記外部支持構造体の底部の横軸に対する、約１〜約５度の角度（θ）を有する、請求項１に記載の容器。
【請求項６】
前記内向きに傾斜した連続的な穴開け領域が、前記底の中央で、約０．２５〜約１．０ｍｍの高さを有する、請求項１に記載の容器。
【請求項７】
前記内向きに傾斜した連続的な穴開け領域が、前記外部支持構造体から、前記底の中央から放射状に延在する平坦区域まで延在し、前記平坦区域が、約５．０〜約１０．０ｍｍの幅を有する、請求項１に記載の容器。
【請求項８】
前記容器が、ポリプロピレン、ポリスチレン、ナイロン、ポリエチレン、及びそれらの組み合わせからなる群より選択される熱可塑性ポリマーを含む、請求項１に記載の容器。
【請求項９】
前記熱可塑性ポリマーが、１つ以上の添加剤と混合される、請求項８に記載の容器。
【請求項１０】
前記１つ以上の添加剤が、ステアリン酸金属塩、炭酸カルシウム、タルク、粘土、及びそれらの組み合わせからなる群より選択される、請求項９に記載の容器。
【請求項１１】
前記１つ以上の添加剤が、ステアリン酸カルシウム、ステアリン酸マグネシウム、ステアリン酸亜鉛、及びそれらの組み合わせからなる群より選択されるステアリン酸金属塩を含む、請求項９に記載の容器。
【請求項１２】
前記容器が、熱可塑性ポリマーを含む熱可塑性材料と、前記熱可塑性材料の約０．５〜約５．０重量％の量の核剤と、前記熱可塑性材料の約７．０〜約１８．０重量％の量のタルクと、を含む、請求項１に記載の容器。
【請求項１３】
前記容器が、ポリオレフィンを含む熱可塑性材料と、前記熱可塑性材料の約０．５〜約２．５重量％の量の核剤と、前記熱可塑性材料の約７．０〜約１２．０重量％の量のタルクと、を含む、請求項１に記載の容器。
【請求項１４】
前記底の内部表面上に刻印される形状特徴をさらに含み、前記形状特徴が、前記底の穴開け容易性を増大させる働きをする、請求項１に記載の容器。
【請求項１５】
前記容器が再利用可能である、請求項１に記載の容器。
【請求項１６】
前記容器が、少なくとも７０重量パーセントの量のポリプロピレンを含む単層材料、または少なくとも１つの層が少なくとも７０重量パーセントの量のポリプロピレンを含む多層材料を含む、請求項１に記載の容器。
【請求項１７】
前記容器が、多層材料を含み、前記多層材料の前記少なくとも１つの層が、前記空洞の反対側にある最外層を含む、請求項１６に記載の容器。
【請求項１８】
前記空洞に隣接する最内層が、少なくとも７０重量パーセントの量のポリプロピレンを含み、前記多層材料が、前記最内層と最外層との間にバリア層を含む、請求項１７に記載の容器。
【請求項１９】
前記バリア層が、エチレンビニルアルコールを含む、請求項１８に記載の容器。
【請求項２０】
請求項１に記載の容器を含む、飲料を作るための容器であって、
前記容器の前記空洞内に配置され、かつ前記空洞内の第１及び第２の空間を画定するフィルタと、
前記空洞内に配置され、かつ前記容器内に投入される液体と相互作用して飲料を作るように配置される飲料媒体と、
前記飲料媒体及び容器内に配置されるフィルタを包含するために、前記容器の周縁に取り付けられる蓋と、をさらに含む、容器。
【国際調査報告】
2017522918.tif 000011
2017522918.tif 000012
2017522918.tif 000013